(57)【特許請求の範囲】
【請求項１】
相対する壁パネルの内壁面の間に型鋼からなる上階床梁を掛け渡し、床パネルの端部を該床梁に支持するとともに、天井パネルの端部に取着した連結具を該床梁の下フランジに結合してなる建物ユニットにおいて、
建物ユニットの壁なし桁面に上記床梁を設け、相隣接する建物ユニットの壁なし桁面を互いに突き合せてそれらの床梁同士を連結板により連結するようにされており、
前記連結具は、床梁に対する上記連結板の接合部から離れた部分を床梁側に張り出し、この張り出し部を床梁に接合してなることを特徴とする建物ユニット。
【請求項２】
前記床梁が桁方向に延びる溝型鋼からなり、溝型鋼のウエブと上フランジにＳ字金物からなる床支持具の縦辺と上辺を添設して溶接し、床パネルの壁なし桁面側の端部を上記床支持具の下辺に載せて支持する請求項１に記載の建物ユニット。
【請求項３】
前記連結具がＬ字金物からなり、Ｌ字金物の縦辺を天井パネルの端部に取着し、Ｌ字金物の上辺を溝型鋼からなる床梁の下フランジの下面に沿うように張り出して該下フランジに接合する請求項２に記載の建物ユニット。
【発明の詳細な説明】
【０００１】
【発明の属する技術分野】
本発明は、建物ユニットに関する。
【０００２】
【従来の技術】
建物ユニットには、特開昭61-204443 号公報に記載の如く、壁パネルの内壁面に床パネルを支持する、いわゆる壁勝ちの建物ユニットがある。
【０００３】
この壁勝ちの建物ユニットで、床パネルの下位に天井パネルを設ける場合には、床パネルの下面に複数本の野縁を取付け、この野縁に天井パネルを取付ける必要がある。
【０００４】
【発明が解決しようとする課題】
然しながら、従来技術では、床パネルの下位にて天井パネルを取付け可能とするため、床パネルの下面に複数本の野縁を取付けておく必要があり、天井取付構造が複雑である。そして、この天井の取付施工時には、何本もの野縁の取付けと、それらの野縁への天井パネルの取付けを上向き作業で行なう必要があり、作業性が悪く、生産性が悪い。
【０００５】
本発明の課題は、壁パネルの内壁面の間に取付けた床パネルの下位に天井パネルを取付けるに際し、天井パネルの取付構造を簡素とするとともに、その取付作業性を向上し、生産性を向上することにある。
【０００６】
【課題を解決するための手段】
請求項１に記載の本発明は、相対する壁パネルの内壁面の間に型鋼からなる上階床梁を掛け渡し、床パネルの端部を該床梁に支持するとともに、天井パネルの端部に取着した連結具を該床梁の下フランジに結合してなる建物ユニットにおいて、建物ユニットの壁なし桁面に上記床梁を設け、相隣接する建物ユニットの壁なし桁面を互いに突き合せてそれらの床梁同士を連結板により連結するようにされており、前記連結具は、床梁に対する上記連結板の接合部から離れた部分を床梁側に張り出し、この張り出し部を床梁に接合してなるようにしたものである。
【０００７】
請求項２に記載の本発明は、請求項１に記載の本発明において更に、前記床梁が桁方向に延びる溝型鋼からなり、溝型鋼のウエブと上フランジにＳ字金物からなる床支持具の縦辺と上辺を添設して溶接し、床パネルの壁なし桁面側の端部を上記床支持具の下辺に載せて支持するようにしたものである。
【０００８】
請求項３に記載の本発明は、請求項２に記載の本発明において更に、前記連結具がＬ字金物からなり、Ｌ字金物の縦辺を天井パネルの端部に取着し、Ｌ字金物の上辺を溝型鋼からなる床梁の下フランジの下面に沿うように張り出して該下フランジに接合するようにしたものである。
【０００９】
【作用】
(a)上階床梁を、天井パネルの支持部材としても兼用するものであり、構成簡素である。
【００１０】
(b)天井パネルの端部に取着した連結具を結合する床梁は、上階床の構成のために予め設けられている。従って、天井の取付施工時には、天井パネルを取付けるだけのための何本もの野縁を床パネルの下面に取付けたり、それらの野縁への天井パネルの取付けを行なう上向き作業が不要であり、作業性を向上し、生産性を向上できる。
【００１１】
(c)天井パネルの取付性に優れた建物ユニットを構築できる。
【００１２】
(d)建物ユニット内で天井パネルを床梁に取付けるための連結具の張り出し部を、相隣る建物ユニットの床梁同士を連結してなる連結板の該床梁への接合部から離して設けた。従って、床梁のサイズを必要最小限に納めながら、床梁上での上記連結具と上記連結板との干渉を防止できる。
【００１３】
【発明の実施の形態】
図１は本発明の建物ユニットの一例を示す模式図、図２は壁パネルへの床梁の支持構造を示す模式図、図３は壁パネルと床パネルの接合構造を示す模式図、図４は床梁と床パネル及び天井パネルの接合構造を示す模式図、図５は壁パネルと天井パネルの接合構造を示す模式図、図６は図５の正面図、図７は床梁と天井パネルの接合構造を示す模式図である。
【００１４】
（建物ユニット）（図１）
図１のユニット建物１は、相隣接するコの字建物ユニット１０Ａと二の字建物ユニット１０Ｂとを互いに接合して 1階部分を構成し、この 1階部分の上で、相隣接するコの字建物ユニット１０Ｃと二の字建物ユニット１０Ｄとを互いに接合して 2階部分を構成している。
【００１５】
コの字建物ユニット１０Ａ、１０Ｃは、相対する妻壁パネル１１Ａ、１１Ａと、桁壁パネル１１Ｂをコの字状に配置し、相対する妻壁パネル１１Ａ、１１Ａの内壁面の間に床梁１４を掛け渡し、これら妻壁パネル１１Ａ、１１Ａ、桁壁パネル１１Ｂの各内面と床梁１４とに床パネル１２の端部を接合している。 2階部分のコの字建物ユニット１０Ｃは、相対する妻壁パネル１１Ａ、１１Ａと、桁壁パネル１１Ｂの各内壁面における上記床パネル１２の下位にて、更に天井パネル１３の端部を接合している。
【００１６】
二の字建物ユニット１０Ｂ、１０Ｄは、相対する妻壁パネル１１Ａ、１１Ａを二の字状に配置し、相対する妻壁パネル１１Ａ、１１Ａの内壁面の間に床梁１４を掛け渡し、これら妻壁パネル１１Ａ、１１Ａの各内壁面と床梁１４とに床パネル１２の端部を接合している。 2階部分の二の字建物ユニット１０Ｄは、相対する妻壁パネル１１Ａ、１１Ａの各内壁面における上記床パネル１２の下位にて、更に天井パネル１３の端部を接合している。
【００１７】
以下、建物ユニット１０（１０Ａ〜１０Ｄ）における壁パネル１１（１１Ａ、１１Ｂ）、床パネル１２、天井パネル１３、床梁１４とそれらの接合構造について説明する。
【００１８】
（壁パネル）（図１〜図３）
壁パネル１１は、上枠２１と下枠２２との間に複数本の縦枠２３（上枠２１、下枠２２と同一幅）を備えて壁枠組が形成され、この壁枠組を構成する両側の縦枠２３、２３の外面に柱２０、２０を釘打ち等により取着し、この壁枠組の内外のそれぞれに内壁面材２４と外壁面材２５のそれぞれが釘打ち及び／又は接着剤を用いて取着されたものである。内壁面材２４は、床パネル１２が接合されない部分を石膏ボード等からなる面材２４Ａとし、床パネル１２が接合される部分を構造用合板等からなる面材２４Ｂとし、面材２４Ａと面材２４Ｂを同一板厚でそれらの表面を面一に設定している。外壁面材２５は、硬質木片セメント版等にて形成されている。また、この壁パネル１１には、床パネル１２の接合対応部位の縦枠間にかい木２６が設けられている。
【００１９】
尚、壁パネル１１は、柱２０の柱頭及び柱脚に接続金物２７をボルト２８により固定されており、建物ユニット１０を基礎に接合し、或いは上下の建物ユニット１０を互いに接合可能としている。
【００２０】
（床パネル）（図１、図３、図４）
床パネル１２は、妻方向に延びる複数本の床根太３１を有し、妻方向の両端部に端根太３２を、桁方向の両端部に不図示の側根太をそれぞれ備えて床枠組が形成され、この床枠組の上下のそれぞれにパーチクルボード等からなる床表面材３３とパーチクルボード等からなる床裏面材３４のそれぞれが釘打ち及び／又は接着剤を用いて取着されたものである。
【００２１】
（天井パネル）（図１、図４〜図７）
天井パネル１３は、妻方向に延びる複数本の天井根太５１を有し、妻方向の両端部に端根太５２を、桁方向の両端部に不図示の側根太をそれぞれ備えて天井枠組が形成され、この天井枠組の下面に石膏ボード等からなる天井面材５３が釘打ち及び／又は接着剤を用いて取着されたものである。
【００２２】
（床梁）（図１、図２、図４〜図７）
床梁１４は、桁方向に延びる溝形鋼からなり、相対する妻壁パネル１１Ａ、１１Ａの間の壁なし桁面に配置され、両端部に溶接されたエンドプレート１５、１５をボルト１６Ａ、ナット１６Ｂ、爪付きプレート１６Ｃにより妻壁パネル１１Ａ、１１Ａの柱２０、２０に締結してある（図２）。
【００２３】
（床パネルの支持構造）（図１、図３、図４）
(A) 床パネル１２の桁壁パネル１１Ｂへの接合構造（図１、図３）
桁壁パネル１１Ｂの内部で、下枠２２と内壁面材２４Ｂとが交差する部分には、床パネル１２の端部の下側に沿う水平方向の全域に通し材状に延在される補強材２７が設けられている。補強材２７は桁壁パネル１１Ｂの両側の縦枠２３を除く中間の縦枠２３の切欠部を通って両側の縦枠２３に衝合するように設けられ、両側の縦枠２３と下枠２２とに釘打ち及び／又は接着剤を用いて取着される。
【００２４】
建物ユニット１０にあっては、図３に示す如く、桁壁パネル１１Ｂの内壁面に床パネル１２の端部を接合するための床受け材４０を用いている。床受け材４０は、Ｌ形鋼からなり、そのウエブ４１を壁取着部とし、そのフランジ４２を床支持部としている。即ち、床受け材４０は、壁取着部４１を釘４３により桁壁パネル１１Ｂの内壁面材２４Ｂ、補強材２７に釘打ち固定し、床パネル１２の下側で補強材２７に支持され、桁壁パネル１１Ｂの内壁面材２４Ｂに固着される。そして、床パネル１２の端部、即ち端根太３２の下面と床根太３１の下面を、床裏面材３４を介して床受け材４０の床支持部４２に載置し、床支持部４２の下方から螺着される木ねじ４４により床パネル１２の端部を床支持部４２に固着するようになっている。これにより、床パネル１２の端部の端面、即ち端根太３２の端面が床受け材４０により桁壁パネル１１Ｂの内壁面材２４Ｂに衝合する如くに実質的に隙間なく接合される。
【００２５】
(B) 床パネル１２の壁なし桁面側での床梁１４への接合構造（図１、図４）
床梁１４は、溝形鋼からなり、そのウエブ１４Ａと上フランジ１４Ｂとに床支持具１８を溶接してある。床支持具１８はＳ字金物からなり、Ｓ字の上辺と縦辺を床梁１４に添設し、下辺を床パネル１２のための床支持部１８Ａとして突出している。
【００２６】
これにより、床パネル１２の壁なし桁面側の端部（端根太３２）を床梁１４に一体の上記床支持具１８の床支持部１８Ａに載せ、床パネル１２の端根太３２をボルト１９Ａ、ナット１９Ｂ、爪付きプレート１９Ｃにより床梁１４に締結してある。これにより、床パネル１２の壁なし桁面側の端部が床梁１４を介して妻壁パネル１１Ａ、１１Ａに支持されるものとなる。
【００２７】
尚、床パネル１２は、桁方向の両端部（側根太）も妻壁パネル１１Ａ、１１Ａに直接もしくは床受け材を用いることにより接合されることができる。
【００２８】
（天井パネルの支持構造）（図１、図４〜図７）
(A) 天井パネル１３の桁壁パネル１１Ｂへの接合構造（図１、図５、図６）
前述の如く、桁壁パネル１１Ｂの内壁面材２４Ｂ、補強材２７に固定される床受け材４０のウエブ４１の上部寄り部分には天井吊り材６０が溶接等により固着される。天井受け材６０は、Ｌ字金物からなる。また、天井パネル１３の端根太５２の端面には吊り具７０が木ねじ７１により固着される。吊り具７０は、逆Ｕ字金物からなる。このとき、吊り具７０の下端レベルを天井パネル１３の下端レベルに合致させる。そして、天井パネル１３の吊り具７０の上辺係止部７０Ａが桁壁パネル１１Ｂの天井吊り材６０のＬ字係止部６０Ａに係止され、且つ天井パネル１３の端根太５２が桁壁パネル１１Ｂに木ねじ７２により固着される。木ねじ７２は、天井パネル１３の天井面材５３、端根太５２、吊り具７０の逆Ｕ字溝７０Ｂ内を通り、床受け材４０の切欠部（不図示）、内壁面材２４Ｂを経て、補強材２７に到達する。尚、床受け材４０は、木ねじ７２の挿通のために上述の如くに切欠部を穿設されている。また、天井吊り材６０、吊り具７０は、建物ユニット１０の桁方向に沿う方向（床パネル１２、天井パネル１３の端根太３２、５２の長手方向に沿う方向）の複数位置に設けられる。天井吊り材６０、吊り具７０は、建物ユニット１０の妻方向に沿う方向（床パネル１２、天井パネル１３の側根太の長手方向に沿う方向）の複数位置に設けることもできる。
【００２９】
(B) 天井パネル１３の壁なし桁面側での床梁１４への接合構造（図１、図４、図７）
天井パネル１３の壁なし桁面側の端部（端根太５２）に連結具８０を取着する。連結具８０は、天井パネル１３の端根太５２の全長に沿う如くの長尺Ｌ字金物からなり、その縦辺８０Ａを天井パネル１３の端根太５２に釘打ち固定される。連結具８０の上辺８０Ｂは、図４、図７に示す如く、床梁１４の下フランジ１４Ｃの下面に沿うように張り出し、ボルト８１によりこの下フランジ１４Ｃに締結される。
【００３０】
尚、ユニット建物１にあっては、相隣接する建物ユニット１０Ｃと建物ユニット１０Ｄの壁なし桁面を互いに突き合せてそれらの床梁１４の上フランジ１４Ｂ同士、下フランジ１４Ｃ同士をそれぞれ上下の連結板８２、８３を用いてボルト８４、８５により連結している。このとき、連結具８０は、図７に示す如く、床梁１４の下フランジ１４Ｃに対する下連結板８３の接合部から離れた部分を床梁１４の側に張り出し、この張り出し部８６をボルト８１によりその下フランジ１４Ｃに接合することとしている。
【００３１】
尚、天井パネル１３は、桁方向の両端部（側根太）も妻壁パネル１１Ａ、１１Ｂに直接もしくは天井受け材を用いることにより接合されることができる。
【００３２】
従って、建物ユニット１０は以下の如く組み立てられる。
(1) 壁パネル１１と床パネル１２と天井パネル１３とを個別に仕上げる。このとき、桁壁パネル１１Ｂに床受け材４０のウエブ４１が取着され、床受け材４０のウエブ４１には天井吊り材６０が固着されている。また、天井パネル１３に連結具８０が取着される。
【００３３】
(2) 相対する妻壁パネル１１Ａ、１１Ａの間の壁なし桁面に床梁１４を掛け渡す。
【００３４】
(3) 床パネル１２の端部を床受け材４０の床支持部４２に載置する。この時、床パネル１２の端部の端面は桁壁パネル１１Ｂの内壁面材２４Ｂに実質的に隙間なく衝合せしめられる。そして、床支持部４２の下方から螺着される木ねじ４４により床パネル１２の端部を床支持部４２に固着する。
【００３５】
また、床パネル１２の壁なし桁面側の端部を床梁１４に一体の床支持具１８の床支持部１８Ａに載せ、ボルト１９Ａにより床梁１４に締結する。
【００３６】
(4) 天井パネル１３の端部に固定してある吊り具７０の係止部７０Ａが、桁壁パネル１１Ｂの側の床受け材４０に固定してある天井吊り材６０の係止部６０Ａに係止せしめられる。そして、天井パネル１３の下方から螺着される木ねじ７２により天井パネル１３の天井面材５３、端根太５２を壁パネル１１の補強材２７に固着する。
【００３７】
また、天井パネル１３の壁なし桁面側の端部に設けてある連結具８０を床梁１４の下フランジ１４Ｃに、ボルト８１により締結する。
【００３８】
(5) 上記(1) 〜(4) により構築した建物ユニット１０Ａ〜１０Ｄを建築現場に据付け、相隣接する建物ユニット１０Ａ、１０Ｂの壁なし桁面を互いに突き合せてそれらの床梁１４同士を連結板８２、８３により連結し、相隣接する建物ユニット１０Ｃ、１０Ｄの壁なし桁面を互いに突き合せてそれらの床梁１４同士を連結板８２、８３により連結する。これらの連結部の床部分には床表面材３３を、天井部分には天井面材５３を取着する（図４）。
【００３９】
尚、建物ユニット１０にあっては、上記(1) 〜(4) は工場で施工し、上記(5) だけを現場施工するものとすることができる。
【００４０】
従って、本実施形態によれば以下の作用がある。
▲１▼壁パネル１１の内壁面の間に掛け渡されて床パネル１２を支持するための床梁１４を、天井パネル１３の支持部材としても兼用するものであり、構成簡素である。
【００４１】
▲２▼天井パネル１３の端部に取着した連結具８０を結合する床梁１４は、床パネル１２の取付のために予め取付けられている。従って、天井の取付施工時には、天井パネル１３を取付けるだけのための何本もの野縁を床パネル１２の下面に取付けたり、それらの野縁への天井パネル１３の取付けを行なう上向き作業が不要であり、作業性を向上し、生産性を向上できる。
【００４２】
▲３▼天井パネル１３の取付性に優れた建物ユニット１０を構築できる。
【００４３】
▲４▼建物ユニット１０内で天井パネル１３を床梁１４に取付けるための連結具８０の張り出し部８６を、相隣る建物ユニット１０の床梁１４同士を連結してなる連結板８３の該床梁１４への接合部から離して設けた。従って、床梁１４のサイズを必要最小限に納めながら、床梁１４上での上記連結具８０と上記連結板８３との干渉を防止できる。
【００４４】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、本発明は建物ユニットに限らず、広く一般の建物に適用できる。
【００４５】
【発明の効果】
以上のように本発明によれば、壁パネルの内壁面の間に取付けた床パネルの下位に天井パネルを取付けるに際し、天井パネルの取付構造を簡素とするとともに、その取付作業性を向上し、生産性を向上することができる。
【図面の簡単な説明】
【図１】図１は本発明の建物ユニットの一例を示す模式図である。
【図２】図２は壁パネルへの床梁の支持構造を示す模式図である。
【図３】図３は壁パネルと床パネルの接合構造を示す模式図である。
【図４】図４は床梁と床パネル及び天井パネルの接合構造を示す模式図である。
【図５】図５は壁パネルと天井パネルの接合構造を示す模式図である。
【図６】図６は図５の正面図である。
【図７】図７は床梁と天井パネルの接合構造を示す模式図である。
【符号の説明】
１０  建物ユニット
１１  壁パネル
１２  床パネル
１３  天井パネル
１４  床梁
８０  連結具
８２、８３  連結板
８６  張り出し部
【図１】
0003869527.tif 000002
【図２】
0003869527.tif 000003
【図３】
0003869527.tif 000004
【図４】
0003869527.tif 000005
【図５】
0003869527.tif 000006
【図６】
0003869527.tif 000007
【図７】
0003869527.tif 000008